【手続補正書】
【提出日】令和2年6月17日(2020.6.17)
【手続補正１】
【補正対象書類名】明細書
【補正対象項目名】０００７
【補正方法】変更
【補正の内容】
【０００７】
上記目的を達成するために、本発明の情報処理装置は、第１のネットワークインターフェース及び当該第１のネットワークインターフェースと異なるネットワークに接続する第２のネットワークインターフェースを備える情報処理装置であって、前記第２のネットワークインターフェースを介して行われる通信の機能が前記第１のネットワークインターフェースを介して行われた通信の機能と比較して制限されている情報処理装置において、前記第１のネットワークインターフェースを介して接続された第１のネットワーク上の第１のＤＨＣＰサーバに第１の種類のオプションパラメータを少なくとも含む第１のＤＨＣＰ要求を送信する第１の送信手段と、前記第２のネットワークインターフェースを介して接続された第２のネットワーク上の第２のＤＨＣＰサーバに前記第１の種類のオプションパラメータを含まない第２のＤＨＣＰ要求を送信する第２の送信手段とを備えることを特徴とする。
【手続補正２】
【補正対象書類名】特許請求の範囲
【補正対象項目名】全文
【補正方法】変更
【補正の内容】
【特許請求の範囲】
【請求項１】
第１のネットワークインターフェース及び当該第１のネットワークインターフェースと異なるネットワークに接続する第２のネットワークインターフェースを備える情報処理装置であって、前記第２のネットワークインターフェースを介して行われる通信の機能が前記第１のネットワークインターフェースを介して行われる通信の機能と比較して制限されている情報処理装置において、
前記第１のネットワークインターフェースを介して接続された第１のネットワーク上の第１のＤＨＣＰサーバに第１の種類のオプションパラメータを少なくとも含む第１のＤＨＣＰ要求を送信する第１の送信手段と、
前記第２のネットワークインターフェースを介して接続された第２のネットワーク上の第２のＤＨＣＰサーバに前記第１の種類のオプションパラメータを含まない第２のＤＨＣＰ要求を送信する第２の送信手段とを備えることを特徴とする情報処理装置。
【請求項２】
前記第１のネットワークインターフェースに接続された前記第１のＤＨＣＰサーバ及び前記第２のネットワークインターフェースに接続された前記第２のＤＨＣＰサーバに要求するオプションパラメータの種類を示す情報を格納する制御を行う格納制御手段と、
前記格納された情報に基づいて前記第１のネットワークインターフェースに接続された前記第１のＤＨＣＰサーバ及び前記第２のネットワークインターフェースに接続された前記第２のＤＨＣＰサーバに要求するオプションパラメータの種類を決定する決定手段とを更に備えることを特徴とする請求項１記載の情報処理装置。
【請求項３】
前記第２のＤＨＣＰ要求に含まれるオプションパラメータの種類数は、前記第１のＤＨＣＰ要求に含まれるオプションパラメータの種類数よりも少ないことを特徴とする請求項１又は２記載の情報処理装置。
【請求項４】
ＤＨＣＰ要求の応答に基づいてネットワーク設定を設定する設定手段を更に備え、
前記第２のネットワークインターフェースを介して送信したＤＨＣＰ要求の応答に前記第２のネットワークインターフェースで使用しないオプションパラメータが含まれている場合、当該使用しないオプションパラメータは、前記ネットワーク設定として設定されないことを特徴とする請求項１乃至３のいずれか１項に記載の情報処理装置。
【請求項５】
前記第２のネットワークインターフェースの他に、前記第１のネットワークインターフェースと比較して通信の機能が制限されている１つ以上の他のネットワークインターフェースを備えることを特徴とする請求項１乃至４のいずれか１項に記載の情報処理装置。
【請求項６】
前記情報処理装置は、画像形成処理を行う画像形成装置であることを特徴とする請求項１乃至５のいずれか１項に記載の情報処理装置。
【請求項７】
前記第１のネットワークインターフェースを介して特定の種類のデータ通信を実行することは制限されず、前記第２のネットワークインターフェースを介して特定の種類のデータ通信を実行することは制限されていることを特徴とする請求項１乃至６のいずれか１項に記載の情報処理装置。
【請求項８】
第１のネットワークインターフェース及び当該第１のネットワークインターフェースと異なるネットワークに接続する第２のネットワークインターフェースを備える情報処理装置の制御方法であって、前記第２のネットワークインターフェースを介して行われる通信の機能が前記第１のネットワークインターフェースを介して行われる通信の機能と比較して制限される情報処理装置の制御方法において、
前記第１のネットワークインターフェースを介して接続された第１のネットワーク上の第１のＤＨＣＰサーバに第１の種類のオプションパラメータを少なくとも含む第１のＤＨＣＰ要求を送信する第１の送信工程と、
前記第２のネットワークインターフェースを介して接続された第２のネットワーク上の第２のＤＨＣＰサーバに前記第１の種類のオプションパラメータを含まない第２のＤＨＣＰ要求を送信する第２の送信工程とを有することを特徴とする情報処理装置の制御方法。
【請求項９】
第１のネットワークインターフェース及び当該第１のネットワークインターフェースと異なるネットワークに接続する第２のネットワークインターフェースを備える情報処理装置のコンピュータであって、前記第２のネットワークインターフェースを介して行われた通信の機能は前記第１のネットワークインターフェースを介して行われた通信の機能より制限される情報処理装置のコンピュータに、
前記第１のネットワークインターフェースを介して接続された第１のネットワーク上の第１のＤＨＣＰサーバに第１の種類のオプションパラメータを少なくとも含む第１のＤＨＣＰ要求を送信する第１の送信工程と、
前記第２のネットワークインターフェースを介して接続された第２のネットワーク上の第２のＤＨＣＰサーバに前記第１の種類のオプションパラメータを含まない第２のＤＨＣＰ要求を送信する第２の送信工程とを実行させるためのプログラム。
【請求項１０】
第１のネットワークインターフェース及び当該第１のネットワークインターフェースと異なるネットワークに接続する第２のネットワークインターフェースを備える情報処理装置であって、前記第２のネットワークインターフェースを介して行われる通信の機能が前記第１のネットワークインターフェースを介して行われる通信の機能と比較して制限されている情報処理装置において、
ＤＨＣＰ要求の応答に基づいてネットワーク設定を設定する設定手段を有し、
前記設定手段は、前記第１のネットワークインターフェースを介して送信したＤＨＣＰ要求の応答に第１の種類のオプションパラメータが含まれている場合、前記第１の種類のオプションパラメータを前記第１のネットワークインターフェースのネットワーク設定として設定し、前記第２のネットワークインターフェースを介して送信したＤＨＣＰ要求の応答に前記第１の種類のオプションパラメータが含まれている場合、当該応答に含まれる前記第１の種類のオプションパラメータを前記第２のネットワークインターフェースのネットワーク設定として設定しないことを特徴とする情報処理装置。
【請求項１１】
前記第１のネットワークインターフェースを介して接続された第１のネットワーク上の第１のＤＨＣＰサーバに前記第１の種類のオプションパラメータを少なくとも含む第１のＤＨＣＰ要求を送信する第１の送信手段と、
前記第２のネットワークインターフェースを介して接続された第２のネットワーク上の第２のＤＨＣＰサーバに前記第１の種類のオプションパラメータを含まない第２のＤＨＣＰ要求を送信する第２の送信手段とを更に備えることを特徴とする請求項１０に記載の情報処理装置。